(57)【要約】【課題】  印刷用紙の設定をより容易に行なえるようにする。【解決手段】  スキャナとプリンタとを用いてコピー印刷する際に、プリンタが対応する用紙の一覧を示す対応用紙一覧をプリンタドライバから取得し（Ｓ２００，Ｓ２１０）、印刷用紙を設定する際に選択肢として表示する用紙の一覧を示す表示用紙一覧をスキャナにセットする原稿の種類に応じて取得し（Ｓ２２０）、この表示用紙一覧に含まれる用紙のうち対応用紙一覧に含まれる用紙（プリンタが対応する用紙）を選択肢として設定して用紙選択画面を表示する（Ｓ２３０）。この用紙選択画面を介してユーザは印刷用紙の設定を行なう。こうすることにより、印刷用紙の設定をより容易に行なえるようにすると共に印刷用紙を設定する際の選択肢をより適切に表示することができる。【選択図】        図５
2005341215.tif 000002
【特許請求の範囲】
【請求項１】
通信線を介して接続されたプリンタを用いて画像を印刷する印刷管理装置であって、
画像を入力する画像入力手段と、
印刷用紙を設定する際の選択肢として表示する用紙に関する表示条件情報を記憶する情報記憶手段と、
印刷に用いるプリンタを選択するプリンタ選択手段と、
該選択されたプリンタが対応する用紙に関する対応用紙情報を取得する対応用紙情報取得手段と、
該取得した対応用紙情報と前記表示条件情報とに基づいて前記選択されたプリンタが対応する用紙のうち該表示条件情報に適合する用紙を選択肢として表示し該表示した用紙の中から選択された用紙を印刷用紙として設定する印刷用紙設定手段と、
該設定された印刷用紙に前記画像入力手段により入力した画像を印刷するよう前記選択されたプリンタに指示する印刷指示手段と、
を備える印刷管理装置。
【請求項２】
前記画像入力手段は、通信線を介して接続されたスキャナを用いて画像を入力する手段である請求項１記載の印刷管理装置。
【請求項３】
請求項１または２記載の印刷管理装置であって、
前記画像入力手段により入力する画像の種類を示す入力画像種類を取得する画像種類取得手段を備え、
前記表示条件情報は、前記入力画像種類と関連付けて設定されてなり、
前記印刷用紙設定手段は、前記選択されたプリンタが対応する用紙のうち前記画像種類取得手段により取得した入力画像種類に関連する表示条件情報に適合する用紙を選択肢として表示する手段である、
印刷管理装置。
【請求項４】
請求項１ないし３いずれか記載の印刷管理装置であって、
前記表示条件情報は、選択肢として表示する用紙の一覧を示す表示用紙一覧情報であり、
前記印刷用紙設定手段は、前記選択されたプリンタが対応する用紙のうち前記表示用紙一覧情報に含まれる用紙を前記選択肢として表示する手段である、
印刷管理装置。
【請求項５】
請求項４記載の印刷管理装置であって、
前記表示用紙一覧情報は、選択肢として表示する用紙の一覧を該用紙の用紙サイズと用紙種類との組み合わせの一覧として示す情報であり、
前記対応用紙情報は、プリンタが対応する用紙の用紙サイズの一覧を示す対応用紙サイズ一覧情報とプリンタが対応する用紙の用紙種類の一覧を示す対応用紙種類一覧情報とからなる情報であり、
前記印刷用紙設定手段は、前記表示用紙一覧情報の用紙サイズと用紙種類との組み合わせのうち、該用紙サイズが前記対応用紙情報の対応用紙サイズ一覧情報に含まれ、かつ、該用紙種類が前記対応用紙情報の対応用紙種類一覧情報に含まれる組み合わせを前記選択肢として表示する手段である、
印刷管理装置。
【請求項６】
請求項１ないし５いずれか記載の印刷管理装置であって、
前記印刷用紙設定手段により設定された印刷用紙に前記画像入力手段により入力した画像を印刷する際の印刷サイズを設定する印刷サイズ設定手段を備え、
前記印刷指示手段は、前記設定された印刷用紙に前記設定された印刷サイズで前記画像を印刷するよう前記選択されたプリンタに指示する手段である、
印刷管理装置。
【請求項７】
前記印刷指示手段は、前記画像入力手段に対する画像の入力指示と前記選択されたプリンタに対する該画像の印刷指示とを一括で行なう手段である請求項１ないし６いずれか記載の印刷管理装置。
【請求項８】
画像を入力する画像入力手段を備えるコンピュータを、通信線を介して接続されたプリンタを用いて画像を印刷する印刷管理装置として機能させるプログラムであって、
印刷に用いるプリンタを選択するプリンタ選択モジュールと、
該選択されたプリンタが対応する用紙に関する対応用紙情報を取得する対応用紙情報取得モジュールと、
該取得した対応用紙情報と印刷用紙を設定する際の選択肢として表示する用紙に関する表示条件情報とに基づいて前記選択されたプリンタが対応する用紙のうち該表示条件情報に適合する用紙を選択肢として表示し該表示した用紙の中から選択された用紙を印刷用紙として設定する印刷用紙設定モジュールと、
該設定された印刷用紙に前記画像入力手段により入力した画像を印刷するよう前記選択されたプリンタに指示する印刷指示モジュールと、
を備える印刷管理装置用プログラム。
【請求項９】
前記表示条件情報は、前記コンピュータの記憶手段に記憶されてなる請求項８記載の印刷管理装置用プログラム。
【請求項１０】
前記プリンタ選択モジュールは、使用可能なプリンタとして前記コンピュータに設定されているプリンタの中から前記印刷に用いるプリンタを選択するモジュールである請求項８または９記載の印刷管理装置用プログラム。
【請求項１１】
前記対応用紙情報取得モジュールは、前記コンピュータにインストールされている前記選択されたプリンタのプリンタドライバから前記対応用紙情報を取得するモジュールである請求項８ないし１０いずれか記載の印刷管理装置用プログラム。
【請求項１２】
前記印刷用紙設定モジュールは、前記選択されたプリンタが所定種類のプリンタであるときには、前記コンピュータにインストールされている該プリンタのプリンタドライバを介して印刷用紙を設定するモジュールである請求項８ないし１１いずれか記載の印刷管理装置用プログラム。
【発明の詳細な説明】
【技術分野】
【０００１】
本発明は、印刷管理装置およびこれに用いるプログラムに関し、詳しくは、通信線を介して接続されたプリンタを用いて画像を印刷する印刷管理装置およびこれに用いるプログラムに関する。
【背景技術】
【０００２】
従来、この種の印刷管理装置としては、コンピュータにスキャナおよびプリンタを接続した構成でコピー印刷を行なうものが提案されている（例えば、特許文献１参照）。この装置では、スキャナで読み取った原稿の画像データをコンピュータを介してプリンタ側へ転送して印刷することにより原稿のコピー印刷を行なっている。
【特許文献１】特開２００４−８８１８７号公報（図１）
【発明の開示】
【発明が解決しようとする課題】
【０００３】
しかしながら、こうしたスキャナやプリンタを用いて印刷を行なう装置では、画像の読取に関するスキャナの設定や画像の印刷に関するプリンタの設定などの各種設定を行なう必要が生じてしまう。特に、印刷用紙を設定する際には、プリンタが対応する用紙サイズや用紙種類（紙種）の中から適当な組み合わせを選択することになるが、対応する用紙サイズや用紙種類がメーカーや型式によって異なったり用紙サイズと用紙種類との組み合わせが膨大な数であったりするから、プリンタに関する知識が十分でないユーザにとっては適切な用紙を選択することが難しい。この結果、印刷用紙を適切に設定することができず、所望の印刷結果を得られないことがある。
【０００４】
本発明の印刷管理装置およびこれに用いるプログラムは、印刷用紙の設定をより容易に行なえるようにすることを目的の一つとする。また、本発明の印刷管理装置およびこれに用いるプログラムは、印刷用紙を設定する際の選択肢をより適切に表示することを目的の一つとする。
【課題を解決するための手段】
【０００５】
本発明の印刷管理装置およびこれに用いるプログラムは、上述の目的の少なくとも一部を達成するために以下の手段を採った。
【０００６】
本発明の印刷管理装置は、
通信線を介して接続されたプリンタを用いて画像を印刷する印刷管理装置であって、
画像を入力する画像入力手段と、
印刷用紙を設定する際の選択肢として表示する用紙に関する表示条件情報を記憶する情報記憶手段と、
印刷に用いるプリンタを選択するプリンタ選択手段と、
該選択されたプリンタが対応する用紙に関する対応用紙情報を取得する対応用紙情報取得手段と、
該取得した対応用紙情報と前記表示条件情報とに基づいて前記選択されたプリンタが対応する用紙のうち該表示条件情報に適合する用紙を選択肢として表示し該表示した用紙の中から選択された用紙を印刷用紙として設定する印刷用紙設定手段と、
該設定された印刷用紙に前記画像入力手段により入力した画像を印刷するよう前記選択されたプリンタに指示する印刷指示手段と、
を備えることを要旨とする。
【０００７】
この本発明の印刷管理装置では、選択されたプリンタの対応用紙情報を取得し、この対応用紙情報と表示条件情報とに基づいてプリンタが対応する用紙のうち表示条件情報に適合する用紙を印刷用紙の選択肢として表示し、表示した選択肢の中から選択された用紙を印刷用紙として設定する。したがって、表示条件情報に適合する用紙のみを印刷用紙の選択肢として表示することができる。この結果、ユーザは、印刷用紙の設定をより容易に行なうことができる。ここで「画像入力手段」としては、通信線を介して接続されたスキャナを用いて画像を入力する手段などを挙げることができる。なお、本発明の印刷管理装置には、複数のコンピュータなどにより構成されるコンピュータシステムが含まれる。
【０００８】
こうした本発明の印刷管理装置において、前記画像入力手段により入力する画像の種類を示す入力画像種類を取得する画像種類取得手段を備え、前記表示条件情報は前記入力画像種類と関連付けて設定されてなり、前記印刷用紙設定手段は前記選択されたプリンタが対応する用紙のうち前記画像種類取得手段により取得した入力画像種類に関連する表示条件情報に適合する用紙を選択肢として表示する手段であるものとすることもできる。こうすれば、入力する画像の種類に応じた表示条件情報に適合する用紙を印刷用紙の選択肢として表示することができる。この結果、ユーザは、入力する画像の種類に応じてより適切な用紙を印刷用紙として設定することができる。ここで「入力する画像の種類」としては、文書や写真などの種類を挙げることができる。
【０００９】
また、本発明の印刷管理装置において、前記表示条件情報は選択肢として表示する用紙の一覧を示す表示用紙一覧情報であり、前記印刷用紙設定手段は前記選択されたプリンタが対応する用紙のうち前記表示用紙一覧情報に含まれる用紙を前記選択肢として表示する手段であるものとすることもできる。こうすれば、選択されたプリンタが対応する用紙のうち表示用紙一覧情報に含まれる用紙を表示条件情報に適合する用紙とすることができる。この態様の本発明の印刷管理装置において、前記表示用紙一覧情報は選択肢として表示する用紙の一覧を該用紙の用紙サイズと用紙種類との組み合わせの一覧として示す情報であり、前記対応用紙情報はプリンタが対応する用紙の用紙サイズの一覧を示す対応用紙サイズ一覧情報とプリンタが対応する用紙の用紙種類の一覧を示す対応用紙種類一覧情報とからなる情報であり、前記印刷用紙設定手段は前記表示用紙一覧情報の用紙サイズと用紙種類との組み合わせのうち該用紙サイズが前記対応用紙情報の対応用紙サイズ一覧情報に含まれ、かつ、該用紙種類が前記対応用紙情報の対応用紙種類一覧情報に含まれる組み合わせを前記選択肢として表示する手段であるものとすることもできる。こうすれば、選択されたプリンタが対応する用紙サイズと用紙種類のうち表示用紙一覧情報に含まれる組み合わせを印刷用紙の選択肢として表示することができる。この結果、ユーザは、選択肢として表示された用紙サイズと用紙種類の組み合わせの中から印刷用紙を選択することができるから、より適切に印刷用紙を設定することができる。
【００１０】
さらに、本発明の印刷管理装置において、前記印刷用紙設定手段により設定された印刷用紙に前記画像入力手段により入力した画像を印刷する際の印刷サイズを設定する印刷サイズ設定手段を備え、前記印刷指示手段は前記設定された印刷用紙に前記設定された印刷サイズで前記画像を印刷するよう前記選択されたプリンタに指示する手段であるものとすることもできる。こうすれば、印刷する際の印刷サイズを設定することができる。
【００１１】
こうした本発明の印刷管理装置において、前記印刷指示手段は、前記画像入力手段に対する画像の入力指示と前記選択されたプリンタに対する該画像の印刷指示とを一括で行なう手段であるものとすることもできる。こうすれば、画像の入力指示と入力した画像の印刷指示とを一括で行なうことができる。
【００１２】
本発明の印刷管理装置用プログラムは、
画像を入力する画像入力手段を備えるコンピュータを、通信線を介して接続されたプリンタを用いて画像を印刷する印刷管理装置として機能させるプログラムであって、
印刷に用いるプリンタを選択するプリンタ選択モジュールと、
該選択されたプリンタが対応する用紙に関する対応用紙情報を取得する対応用紙情報取得モジュールと、
該取得した対応用紙情報と印刷用紙を設定する際の選択肢として表示する用紙に関する表示条件情報とに基づいて前記選択されたプリンタが対応する用紙のうち該表示条件情報に適合する用紙を選択肢として表示し該表示した用紙の中から選択された用紙を印刷用紙として設定する印刷用紙設定モジュールと、
該設定された印刷用紙に前記画像入力手段により入力した画像を印刷するよう前記選択されたプリンタに指示する印刷指示モジュールと、
を備えることを要旨とする。
【００１３】
この本発明の印刷管理装置用プログラムでは、コンピュータを、選択されたプリンタの対応用紙情報を取得し、この対応用紙情報と表示条件情報とに基づいてプリンタが対応する用紙のうち表示条件情報に適合する用紙を印刷用紙の選択肢として表示し、表示した選択肢の中から選択された用紙を印刷用紙として設定する、印刷管理装置として機能させる。したがって、表示条件情報に適合する用紙のみを印刷用紙の選択肢として表示することができる。この結果、ユーザは、印刷用紙の設定をより容易に行なうことができる。ここで「画像入力手段」としては、通信線を介して接続されたスキャナを用いて画像を入力する手段などを挙げることができる。なお、本発明の印刷管理装置用プログラムには、複数のコンピュータなどにより構成されるコンピュータシステムを印刷管理装置として機能させるプログラムが含まれる。
【００１４】
こうした本発明の印刷管理装置用プログラムにおいて、前記表示条件情報は、前記コンピュータの記憶手段に記憶されてなるものとすることもできる。こうすれば、コンピュータの記憶手段に記憶された表示条件情報を用いて印刷用紙の選択肢を表示することができる。
【００１５】
また、本発明の印刷管理装置用プログラムにおいて、前記プリンタ選択モジュールは、使用可能なプリンタとして前記コンピュータに設定されているプリンタの中から前記印刷に用いるプリンタを選択するモジュールであるものとすることもできる。こうすれば、使用可能なプリンタとして設定されているプリンタの中から印刷に用いるプリンタを選択することができる。
【００１６】
さらに、本発明の印刷管理装置用プログラムにおいて、前記対応用紙情報取得モジュールは、前記コンピュータにインストールされている前記選択されたプリンタのプリンタドライバから前記対応用紙情報を取得するモジュールであるものとすることもできる。こうすれば、選択されたプリンタのプリンタドライバから対応用紙情報を取得することができる。
【００１７】
こうした本発明の印刷管理装置用プログラムにおいて、前記印刷用紙設定モジュールは、前記選択されたプリンタが所定種類のプリンタであるときには、前記コンピュータにインストールされている該プリンタのプリンタドライバを介して印刷用紙を設定するモジュールであるものとすることもできる。こうすれば、所定種類のプリンタ（例えば、対応用紙情報を取得できないプリンタや対応用紙情報と表示条件情報とに基づく選択肢の表示が行えないプリンタなど）が選択されたときには、プリンタドライバを介して印刷用紙の設定を行なうことができる。
【００１８】
また、本発明の印刷管理装置用プログラムにおいて、前記画像入力手段により入力する画像の種類を示す入力画像種類を取得する画像種類取得モジュールを備え、前記表示条件情報は前記入力画像種類と関連付けて設定されてなり、前記印刷用紙設定モジュールは前記選択されたプリンタが対応する用紙のうち前記画像種類取得モジュールにより取得した入力画像種類に関連する表示条件情報に適合する用紙を選択肢として表示するモジュールであるものとすることもできる。こうすれば、入力する画像の種類に応じた表示条件情報に適合する用紙を印刷用紙の選択肢として表示することができる。この結果、ユーザは、入力する画像の種類に応じてより適切な用紙を印刷用紙として設定することができる。
【００１９】
さらに、本発明の印刷管理装置用プログラムにおいて、前記表示条件情報は選択肢として表示する用紙の一覧を示す表示用紙一覧情報であり、前記印刷用紙設定モジュールは前記選択されたプリンタが対応する用紙のうち前記表示用紙一覧情報に含まれる用紙を前記選択肢として表示するモジュールであるものとすることもできる。こうすれば、選択されたプリンタが対応する用紙のうち表示用紙一覧情報に含まれる用紙を表示条件情報に適合する用紙とすることができる。この態様の本発明の印刷管理装置用プログラムにおいて、前記表示用紙一覧情報は選択肢として表示する用紙の一覧を該用紙の用紙サイズと用紙種類との組み合わせの一覧として示す情報であり、前記対応用紙情報はプリンタが対応する用紙の用紙サイズの一覧を示す対応用紙サイズ一覧情報とプリンタが対応する用紙の用紙種類の一覧を示す対応用紙種類一覧情報とからなる情報であり、前記印刷用紙設定モジュールは前記表示用紙一覧情報の用紙サイズと用紙種類との組み合わせのうち該用紙サイズが前記対応用紙情報の対応用紙サイズ一覧情報に含まれ、かつ、該用紙種類が前記対応用紙情報の対応用紙種類一覧情報に含まれる組み合わせを前記選択肢として表示するモジュールであるものとすることもできる。こうすれば、選択されたプリンタが対応する用紙サイズと用紙種類のうち表示用紙一覧情報に含まれる組み合わせを印刷用紙の選択肢として表示することができる。この結果、ユーザは、選択肢として表示された用紙サイズと用紙種類の組み合わせの中から印刷用紙を選択することができるから、より適切に印刷用紙を設定することができる。
【００２０】
さらに、本発明の印刷管理装置用プログラムにおいて、前記印刷用紙設定モジュールにより設定された印刷用紙に前記画像入力手段により入力した画像を印刷する際の印刷サイズを設定する印刷サイズ設定モジュールを備え、前記印刷指示モジュールは前記設定された印刷用紙に前記設定された印刷サイズで前記画像を印刷するよう前記選択されたプリンタに指示するモジュールであるものとすることもできる。こうすれば、印刷する際の印刷サイズを設定することができる。
【００２１】
こうした本発明の印刷管理装置用プログラムにおいて、前記印刷指示モジュールは、前記画像入力手段に対する画像の入力指示と前記選択されたプリンタに対する該画像の印刷指示とを一括で行なうモジュールであるものとすることもできる。こうすれば、画像の入力指示と入力した画像の印刷指示とを一括で行なうことができる。
【発明を実施するための最良の形態】
【００２２】
次に、本発明を実施するための最良の形態を実施例を用いて説明する。
【実施例】
【００２３】
図１は、本発明の一実施例としての印刷管理装置２０を含むシステムの構成の概略を示す構成図である。実施例の印刷管理装置２０は、図示するように、ＣＰＵ２１やＲＯＭ２２、ＲＡＭ２３を中心とした汎用のコンピュータとして構成されており、データを記憶するハードディスクドライブ（ＨＤＤ）２４や外部機器との接続を司る外部インタフェース２５などを備え、外部インタフェース２５を介して接続されたスキャナ４０を用いて原稿を読み取ると共に読み取った原稿の画像データを外部インタフェース２５を介して接続されたプリンタ５０を用いて印刷するコピー印刷を行なう。なお、外部インタフェース２５としては、ＵＳＢインタフェースやＲＳ−２３２Ｃインタフェース，セントロニクスインタフェースなどを挙げることができる。
【００２４】
印刷管理装置２０のＨＤＤ２４には、スキャナ４０やプリンタ５０のデバイスドライバとしてのスキャナ用ドライバ３０やプリンタ用ドライバ３２の他、汎用のコンピュータを実施例の印刷管理装置２０として機能させるためのコピー印刷プログラム３４などがインストールされている。このコピー印刷プログラム３４に関する処理については後述する。
【００２５】
スキャナ４０は、一般的なフラットベッド方式のスキャナとして構成されており、ガラス台にセットされた原稿を光学的に走査すると共にその反射光をＣＣＤなどで読み取ってデジタルデータ（画像データ）に変換する。プリンタ５０は、一般的なインクジェット方式のプリンタとして構成されており、印刷管理装置２０にインストールされているプリンタ用ドライバ３２などを介して転送される印刷データに基づいて各色のインクを用紙に噴射して印刷を行なう。なお、スキャナ４０はフラットベッド方式以外のスキャナ（例えば、自動給紙方式やハンディ方式など）であっても構わないし、プリンタ５０はインクジェット方式以外のプリンタ（例えば、電子写真方式など）であっても構わない。
【００２６】
次に、こうして構成された印刷管理装置２０の動作、特にコピー印刷に関する動作について説明する。図２は、コピー印刷プログラム３４が起動されたときに印刷管理装置２０のＣＰＵ２１により実行されるコピー印刷処理の一例を示すフローチャートである。
【００２７】
コピー印刷処理が実行されると、まず、図示するように、コピー印刷に関する各種設定を行なうためのメイン画面１００を表示する（ステップＳ１００）。図３は、メイン画面１００の一例を示す説明図である。メイン画面１００は、図示するように、画面左上から左下方向へ、スキャナを選択するスキャナ選択欄１０２やプリンタを選択するプリンタ選択欄１０４、原稿の種類を選択するための原稿選択ボタン１０６、印刷用紙を選択するための用紙選択ボタン１０８、コピーサイズを選択するためのコピーサイズ選択ボタン１１０、操作説明などを簡単に表示するヘルプ情報表示領域１１２が配置され、画面右上から右下方向へ、色あせた写真などを元の色に復元する画像処理の要否を指定する退色復元チェックボックス１１４やガラス台などに付着したホコリを除外する画像処理の要否を指定するホコリ除去チェックボックス１１６、かすれている線画や潰れている文字などをきれいにする画像処理の要否を指定する文字くっきりチェックボックス１１８、画像の明るさを調整する明るさ調整スライダ１２０、画像のコントラストを調整するコントラスト調整スライダ１２２、コピー枚数を設定するコピー枚数設定欄１２４、コピー印刷を開始するためのコピー実行ボタン１２６、細かな画質調整や画像編集を伴ってコピー印刷を行なうためのカスタムコピーボタン１２８が配置されている。
【００２８】
こうしてメイン画面１００を表示すると、このメイン画面１００を用いてユーザにより各種設定を行なう。まず、コピー印刷に用いるスキャナ４０とプリンタ５０とをスキャナ選択欄１０２とプリンタ選択欄１０４とに設定する（ステップＳ１１０）。スキャナ選択欄１０２やプリンタ選択欄１０４は、印刷管理装置２０に使用可能なものとして設定されているスキャナ４０やプリンタ５０がドロップダウンリストとして表示されるようになっており、ユーザは、このドロップダウンリストからコピー印刷に用いるスキャナ４０やプリンタ５０を選択することになる。
【００２９】
続いて、メイン画面１００の原稿選択ボタン１０６が押下されると、図４に例示する原稿選択画面２００を表示し、この原稿選択画面２００を介してユーザによりスキャナ４０にセットする原稿の種類を選択する（ステップＳ１２０）。原稿選択画面２００は、図示するように、原稿の種類を「カラー文書」、「モノクロ文書」、「写真」、「ネガフィルム」、「ポジフィルム」の５つの選択肢から選択できるように画面構成されている。
【００３０】
そして、メイン画面１００の用紙選択ボタン１０８が押下されると、印刷管理装置２０のＣＰＵ２１により図５に例示する印刷用紙を設定するための印刷用紙設定処理が実行される（ステップＳ１３０）。ここで、コピー印刷処理の説明を中断し、印刷用紙設定処理について説明する。
【００３１】
印刷用紙設定処理では、まず、図５に示すように、コピー印刷処理のステップＳ１１０でプリンタ選択欄１０４に設定されたプリンタ５０が、この印刷用紙設定処理に適合する適合機種であるか否かを判定し（ステップＳ２００）、適合機種であるときには、プリンタ５０が対応する用紙の一覧を示す対応用紙一覧をプリンタ５０のプリンタ用ドライバ３２から取得する（ステップＳ２１０）。図６は、プリンタ用ドライバ３２から取得する対応用紙一覧の一例を示す説明図である。対応用紙一覧は、図示するように、対応する用紙の用紙サイズの一覧である対応用紙サイズ一覧と、対応する用紙の用紙種類の一覧である対応用紙種類一覧とにより構成されている。なお、プリンタ５０が適合機種であるか否かを判定する際には、実施例では、プリンタ用ドライバ３２からプリンタ５０の機種名を取得し、この取得した機種名が予め定められた適合機種の機種名として設定されているか否かにより判定するものとした。
【００３２】
次に、コピー印刷処理のステップＳ１２０で選択された原稿の種類に応じて、印刷用紙を設定する際に選択肢として表示する用紙の一覧を示す表示用紙一覧を取得する（ステップＳ２２０）。図７は、表示用紙一覧の一例を示す説明図である。表示用紙一覧は、図示するように、原稿の種類に応じて文書用（実施例では、「カラー文書」，「モノクロ文書」が対応）と写真用（実施例では、「写真」，「ネガフィルム」，「ポジフィルム」が対応）の２つの一覧が用意されており、各一覧には選択肢として表示する用紙が用紙サイズと用紙種類の組み合わせとして設定されている。文書用の表示用紙一覧では、文書の印刷に適した用紙（例えば、「Ａ４＆普通紙」など）が設定され、写真用の表示用紙一覧では、写真の印刷に適した用紙（例えば、「Ｌ判＆写真用紙」など）が設定されている。なお、実施例では、表示用紙一覧は、印刷管理装置２０のＨＤＤ２４にテキスト形式のファイルとして記憶しておくものとし、文書用と写真用とを単一のファイルで管理するものとし
た。勿論、文書用と写真用とを別個のファイルで管理するものとしてもよいし、コピー印刷プログラム３４の内部に記述しておくなど、その他の方法で記憶しておくものとしても構わない。
【００３３】
こうして表示用紙一覧を取得すると、取得した表示用紙一覧に含まれる用紙（用紙サイズと用紙種類の組み合わせ）のうちプリンタ５０が対応する用紙（即ち、用紙サイズがプリンタ５０の対応用紙サイズ一覧に含まれ、かつ、用紙種類がプリンタ５０の対応用紙種類一覧に含まれる用紙）を選択肢として設定して用紙選択画面３００を表示し、この用紙選択画面３００を介してユーザにより印刷用紙の設定を行なって（ステップＳ２３０）、この印刷用紙設定処理を終了する。図８は、用紙選択画面３００の一例を示す説明図である。用紙選択画面３００は、図示するように、選択肢としての用紙を用紙サイズと用紙種類の組み合わせとして表示しており、ユーザはこの選択肢の中から選択して印刷用紙を設定するのである。
【００３４】
一方、ステップＳ２００で、プリンタ選択欄１０４に設定されたプリンタ５０が適合機種でないと判定されたときには、プリンタ５０のプリンタ用ドライバ３２を用いて図９に例示するプリンタ設定画面４００を表示し、このプリンタ設定画面４００を介してユーザにより印刷用紙の設定を行なって（ステップＳ２４０）、この印刷用紙設定処理を終了する。プリンタ設定画面４００は、ワープロや画像編集ソフトなどの通常のアプリケーションソフトを用いて印刷を行なう場合などにも使用される画面である。ここで、印刷用紙設定処理に適合しない機種のプリンタとしては、例えば、対応用紙一覧を取得できないプリンタや対応用紙一覧のデータ形式が異なるために表示用紙一覧との比較が行なえないプリンタなどを挙げることができる。このようなプリンタでは、前述した用紙選択画面３００を用いた印刷用紙の設定を行なうことができないから、通常のアプリケーションソフトを用いて印刷を行なう場合と同様に、プリンタ用ドライバ３２のプリンタ設定画面４００を用いて印刷用紙の設定を行なうのである。
【００３５】
こうして印刷用紙設定処理が実行されて印刷用紙の設定がなされると、コピー印刷処理では、メイン画面１００のコピーサイズ選択ボタン１１０が押下されると図１０に例示するコピーサイズ選択画面５００を表示し、このコピーサイズ選択画面５００を介してユーザにより印刷用紙に印刷する大きさを示すコピーサイズ（印刷サイズ）を選択する（ステップＳ１４０）。
【００３６】
そして、メイン画面１００を介してその他の設定（明るさ・コントラストの設定やコピー枚数の設定など）を行なってコピーボタン１２６が押下されると、これらの設定内容に従ってコピー印刷を実行し（ステップＳ１５０，Ｓ１６０）、このコピー印刷処理を終了する。コピー印刷の実行は、具体的には、設定内容に基づいて、スキャナ用ドライバ３０を介してスキャナ４０に原稿の読み取りを指示すると共に、読み取った原稿の画像データの印刷をプリンタ用ドライバ３２を介してプリンタ５０に指示することにより行なわれる。
【００３７】
以上説明した実施例の印刷管理装置２０によれば、プリンタ選択欄１０４に設定されたプリンタ５０の対応用紙一覧を取得し、この対応用紙一覧と予め設定されている表示用紙一覧とに基づいて表示用紙一覧に含まれる用紙のうちプリンタ５０が対応する用紙を選択肢として設定して用紙選択画面３００を表示し、この用紙選択画面３００を介してユーザにより印刷用紙の設定を行なうことができる。即ち、プリンタ５０が対応する用紙のうち、表示用紙一覧に含まれる用紙のみを印刷用紙の選択肢として表示することができる。この結果、ユーザは、印刷用紙の設定をより容易に行なうことができる。また、原稿の種類に応じて文書用と写真用の２つの表示用紙一覧を用意するから、原稿の種類に応じてより適切な用紙を印刷用紙として設定することができる。さらに、印刷用紙の選択肢を用紙サイズと用紙種類の組み合わせとして表示するから、用紙サイズと用紙種類をそれぞれ選択する場合と比較して、より容易に印刷用紙の設定を行なうことができる。
【００３８】
ここで、実施例の印刷管理装置２０では、スキャナ４０やスキャナ用ドライバ３０が画像入力手段に相当し、ＨＤＤ２４が情報記憶手段に相当し、ステップＳ１１０の処理を実行するＣＰＵ２１がプリンタ選択手段に相当し、ステップＳ１２０の処理を実行するＣＰＵ２１が画像種類取得手段に相当し、ステップＳ２００の処理を実行するＣＰＵ２１が対応用紙情報取得手段に相当し、ステップＳ１３０の処理（印刷用紙設定処理）を実行するＣＰＵ２１が印刷用紙設定手段に相当し、ステップＳ１４０の処理を実行するＣＰＵ２１が印刷サイズ設定手段に相当し、ステップＳ１６０の処理を実行するＣＰＵ２１が印刷指示手段に相当する。また、実施例のコピー印刷プログラム３４が本発明の印刷管理装置用プログラムに相当し、適合機種でないプリンタ５０が所定種類のプリンタに相当する。
【００３９】
実施例の印刷管理装置２０では、原稿選択画面２００を介してスキャナ４０にセットする原稿の種類を選択するものとしたが、原稿の種類の取得方法は問わず、例えば、スキャナ４０にセットされている原稿をスキャンして原稿の種類を自動判定するものとしても構わない。
【００４０】
実施例の印刷管理装置２０では、原稿の種類に応じて文書用と写真用の２つの表示用紙一覧を用意したが、原稿の種類に関連付けて設定されていればよく、例えば、カラー文書用とモノクロ文書用と写真用の３つの表示用紙一覧を用意するものとしてもよい。また、原稿の種類に拘らず、単一の表示用紙一覧を用いるものとしても差し支えない。
【００４１】
実施例の印刷管理装置２０では、表示用紙一覧に含まれる用紙のうちプリンタ５０が対応する用紙を選択肢として設定して用紙選択画面３００を表示するものとしたが、プリンタ５０が対応する用紙のうち選択肢として表示する用紙の表示条件を定めるものであればよいから、必ずしも表示用紙一覧を用いなくてもよい。例えば、「Ａ４サイズより小さいサイズの用紙」などの表示条件を設定しておき、用紙選択画面３００を表示する際には、プリンタ５０が対応する用紙のうち表示条件に適合する用紙を選択肢として表示するものとしてもよい。
【００４２】
実施例の印刷管理装置２０では、プリンタ５０の対応用紙一覧は、対応用紙サイズ一覧と対応用紙種類一覧とにより構成するものとしたが、対応する用紙サイズと用紙種類の組み合わせの一覧として設定されていても構わない。この場合、対応用紙一覧と表示用紙一覧とを比較して両方に設定されている組み合わせを選択肢として設定して用紙選択画面３００を表示するものとすればよい。さらに、プリンタ５０が対応する用紙に関する情報であればその形式は問わない。また、表示用紙一覧は、用紙サイズと用紙種類の組み合わせの一覧として設定するものとしたが、表示用紙サイズ一覧と表示用紙種類一覧とにより構成するものとしても構わない。この場合、対応用紙サイズ一覧と表示用紙サイズ一覧との両方に設定されている用紙サイズと、対応用紙種類一覧と表示用紙種類一覧との両方に設定されている用紙種類とを選択肢として設定して用紙選択画面３００を表示するものとすればよい。
【００４３】
実施例の印刷管理装置２０では、プリンタ５０が適合機種でないときには、プリンタ用ドライバ３２のプリンタ設定画面４００を介して印刷用紙の設定を行なうものとしたが、こうしたプリンタ設定画面４００を用いた印刷用紙の設定を行なわないものとして差し支えない。この場合、プリンタ５０が適合機種でないときには、印刷用紙として既定の設定（例えば、「Ａ４＆普通紙」など）を行なうものとすればよい。また、プリンタ５０の適合機種の判定を行なわなくても構わない。この場合、例えば、用紙選択画面３００を表示する処理が正常に行なえないときなどに、プリンタ設定画面４００の表示などを行なうようにすればよい。
【００４４】
実施例の印刷管理装置２０では、対応用紙一覧をプリンタドライバ３２から取得するものとしたが、対応用紙一覧を取得できればその他の方法を用いても構わない。
【００４５】
実施例の印刷管理装置２０では、コピー印刷に関する各種設定を行なうためにメイン画面１００を用いるものとしたが、その他の画面構成を採用した画面であっても構わないのは勿論であり、例えば、複数の画面による画面遷移を伴って各種設定を行なうものとしても差し支えない。また、コピーサイズの設定などを行なわなくても構わない。
【００４６】
実施例の印刷管理装置２０では、スキャナ４０を用いて原稿を読み取ると共に読み取った原稿の画像データをプリンタ５０を用いて印刷するコピー印刷を行なうものとしたが、入力した画像をプリンタ５０を用いて印刷するものであればよく、画像の入力をスキャナ４０を用いて行なわなくても構わない。例えば、メモリカードやＨＤＤ２４に記憶された画像ファイルを読み込んでプリンタ５０を用いて印刷するものや外部インタフェース２５を介して接続されたデジタルカメラから画像ファイルを読み込んでプリンタ５０を用いて印刷するものとしても差し支えない。
【００４７】
実施例の印刷管理装置２０では、ＣＰＵ２１やＲＯＭ２２，ＲＡＭ２３を中心とした汎用のコンピュータとして構成されるものとしたが、ハードウェア構成はこれに限られず、複数の汎用コンピュータを用いて実施例の印刷管理装置２０を構成するものとしても構わない。また、外部インタフェース２５を介してスキャナ４０やプリンタ５０が接続されるものとしたが、スキャナ４０やプリンタ５０は何台接続されていても構わないし、有線ＬＡＮや無線ＬＡＮなどのネットワークを介して接続されるものとしても差し支えない。
【００４８】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【００４９】
【図１】印刷管理装置２０を含むシステムの構成の概略を示す構成図。
【図２】コピー印刷処理の一例を示すフローチャート。
【図３】メイン画面１００の一例を示す説明図。
【図４】原稿選択画面２００の一例を示す説明図。
【図５】印刷用紙設定処理の一例を示すフローチャート。
【図６】対応用紙一覧の一例を示す説明図。
【図７】表示用紙一覧の一例を示す説明図。
【図８】用紙選択画面３００の一例を示す説明図。
【図９】プリンタ設定画面４００の一例を示す説明図。
【図１０】コピーサイズ選択画面５００の一例を示す説明図。
【符号の説明】
【００５０】
２０  印刷管理装置、２１  ＣＰＵ、２２  ＲＯＭ、２３  ＲＡＭ、２４  ＨＤＤ、２５  外部インタフェース、３０  スキャナ用ドライバ、３２  プリンタ用ドライバ、３４  コピー印刷プログラム、４０  スキャナ、５０  プリンタ、１００  メイン画面、１０２  スキャナ選択欄、１０４  プリンタ選択欄、１０６  原稿選択ボタン、１０８  用紙選択ボタン、１１０  コピーサイズ選択ボタン、１１２  ヘルプ情報表示領域、１１４  退色復元チェックボックス、１１６  ホコリ除去チェックボックス、１１８  文字くっきりチェックボックス、１２０  明るさ調整スライダ、１２２  コントラスト調整スライダ、１２４  コピー枚数設定欄、１２６  コピー実行ボタン、１２８  カスタムコピーボタン、２００  原稿選択画面、３００  用紙選択画面、４００  プリンタ設定画面、５００  コピーサイズ選択画面。
【図１】
2005341215.tif 000003
【図２】
2005341215.tif 000004
【図３】
2005341215.tif 000005
【図４】
2005341215.tif 000006
【図５】
2005341215.tif 000007
【図６】
2005341215.tif 000008
【図７】
2005341215.tif 000009
【図８】
2005341215.tif 000010
【図９】
2005341215.tif 000011
【図１０】
2005341215.tif 000012